(57)【要約】【課題】コネクタ構造を提供する。【解決手段】導電端子を有する絶縁枠体と、絶縁枠体に組立てられてメモリカードの挿入と退出を案内するカード戻し機構と、絶縁枠体の外周面を被覆する金属遮蔽体とが含有され、絶縁枠体に常時開式のスイッチ端子が設けられ、カード戻し機構のスライダの傍にメモリカードが定位まで挿入されると、メモリカードの凹槽に係止する係止フックが設けられ、これにより、メモリカードが動揺して変位することがないように定位に固定され、電信伝送の安定を確保でき、また、メモリカードが挿入されることにより、スイッチ端子が上へ抵当されて、金属遮蔽体上の導電シートに接触することにより、検知回路が導通される。【選択図】図１
0003126607.tif 000002
【実用新案登録請求の範囲】
【請求項１】
メモリカードと回路板との間の信号連接のためのコネクタ構造であって、
メモリカードを挿入するためのスロットであり、内部に導電端子とスライダ、弾性素子ベース、レバー及び弾性素子からなるカード戻し機構が実装される絶縁枠体と、
絶縁枠体に組立てられ、絶縁枠体の本体と両側を被覆し、それぞれ、係止フックとレバーを押える二つの弾性押えシートと検知回路に連接される導電シートが設けられる金属遮蔽体と、
一端が弾性素子に抵当し、摺動すると、回復の弾性が付与され、また、スライダが摺動する時変位することないための案内溝とレバーが設けられ、また、一側に、メモリカードを固定するための係止フックが設けられるスライダと、
絶縁枠体の弾性素子ベースに設けられ、スライダの一端に抵当し、スライダが移動する時、回復力を供給する弾性素子と、
絶縁枠体に設けられ、メモリカードに対して導通と伝送することに供され、また、第１の抵当部と第２の抵当部及び接触部が含有されるスイッチ端子が設けられる導電端子と、が含有される、ことを特徴とするコネクタ構造。
【請求項２】
係止フックが下へ向かって係止することを特徴とする請求項１に記載のコネクタ構造。
【請求項３】
スイッチ端子が、導電端子の一側を上へ直角に湾曲して、そして、適当な高さで直角に湾曲することにより、他の端子と平行になることを特徴とする請求項１に記載のコネクタ構造。
【請求項４】
スイッチ端子の第１の抵当部が、下へ突出する「く」文字の突出であることを特徴とする請求項１に記載のコネクタ構造。
【請求項５】
当該弾性素子が、圧縮バネであることを特徴とする請求項１に記載のコネクタ構造。
【請求項６】
当該弾性素子ベースが、柱状体であることを特徴とする請求項１に記載のコネクタ構造。
【考案の詳細な説明】
【技術分野】
【０００１】
本考案は、コネクタ構造に関し、特に、導電端子を有する絶縁枠体と、絶縁枠体に組立てられてメモリカードの挿入と退出を案内するカード戻し機構と、絶縁枠体の外周面を被覆する金属遮蔽体とが含有されるものに関する。
【背景技術】
【０００２】
情報科学とディジタル化の発展ともに、記憶装置の発展も素早くなり、また、記憶装置の容量が大きくなると共に、記憶装置の小型化も実現され、既存のディジタル製品には、各種類の軽薄短小のメモリカードを記憶装置として利用され、メモリカードのコネクタも、メモリカードを利用する時の必要な要素になる。
【０００３】
しかしながら、上記のメモリカードのコネクタの体積が小さく、挿入ストロークが短いため、容易に、定位の確実性を把握できず、また、容易に、データ伝送の不安定を来たし、上記の問題点を解消するために、接触覚スイッチを設置して、メモリカードがある定位に挿入されると、接触覚スイッチを駆動してメモリカードのデータを伝送開始し、また、従来の接触覚スイッチは、常時開式であっても、常時閉式であっても、二つか三つの異なる形態の構成要素からなるため、工程と組立てが複雑で、コストも高くなる。
【０００４】
また、メモリカードが、定位に挿入された後、固定されなければ、外力により動揺されて位移するため、データの伝送エラーや破損が発生し、また、導電端子とメモリカード自身との不正の摩擦が発生して、故障になる恐れがある。
【考案の開示】
【考案が解決しようとする課題】
【０００５】
本考案の目的は、導電端子を有する絶縁枠体と、絶縁枠体に組立てられてメモリカードの挿入と退出を案内するカード戻し機構と、絶縁枠体の外周面を被覆する金属遮蔽体とが含有され、当該絶縁枠体に、常時開式（Ｎｏｒｍａｌ  Ｏｐｅｎ）のスイッチ端子が設けられ、カード戻し機構のスライダの傍に、メモリカードが定位まで挿入されると、メモリカードの凹槽に係止する係止フックが設けられ、これにより、メモリカードが、動揺して変位することがないように、定位に固定され、電信伝送の安定を確保でき、また、メモリカードが挿入されることにより、スイッチ端子が、上へ抵当されて、金属遮蔽体上の導電シートに接触することにより、検知回路が導通されるコネクタ構造を提供する。
【課題を解決するための手段】
【０００６】
請求項１の考案は、メモリカードと回路板との間の信号連接のためのコネクタ構造であって、メモリカードを挿入するためのスロットであり、内部に導電端子とスライダ、弾性素子ベース、レバー及び弾性素子からなるカード戻し機構が実装される絶縁枠体と、絶縁枠体に組立てられ、絶縁枠体の本体と両側を被覆し、それぞれ、係止フックとレバーを押える二つの弾性押えシートと検知回路に連接される導電シートが設けられる金属遮蔽体と、一端が弾性素子に抵当し、摺動すると、回復の弾性が付与され、また、スライダが摺動する時変位することないための案内溝とレバーが設けられ、また、一側に、メモリカードを固定するための係止フックが設けられるスライダと、絶縁枠体の弾性素子ベースに設けられ、スライダの一端に抵当し、スライダが移動する時、回復力を供給する弾性素子と、絶縁枠体に設けられ、メモリカードに対して導通と伝送することに供され、また、第１の抵当部と第２の抵当部及び接触部が含有されるスイッチ端子が設けられる導電端子と、が含有される、ことを特徴とするコネクタ構造である。
【０００７】
請求項２の考案は、係止フックが下へ向かって係止することを特徴とする請求項１に記載のコネクタ構造である。
【０００８】
請求項３の考案は、スイッチ端子が、導電端子の一側を上へ直角に湾曲して、そして、適当な高さで直角に湾曲することにより、他の端子と平行になることを特徴とする請求項１に記載のコネクタ構造である。
【０００９】
請求項４の考案は、スイッチ端子の第１の抵当部が、下へ突出する「く」文字の突出であることを特徴とする請求項１に記載のコネクタ構造である。
【考案を実施するための最良の形態】
【００１０】
本考案に係わるコネクタ構造１は、図１と２を参照しながら、主として、絶縁枠体２と金属遮蔽体３、スライダ４、弾性素子５及び１組の導電端子６からなり、絶縁枠体２の一側に、カード戻し機構が設けられ、当該カード戻し機構は、スライダ４と弾性素子５及びレバー４１から構成され、弾性素子５は、一端が、絶縁枠体２の弾性素子ベース２１に嵌設され、もう一端が、スライダ４に抵当して、これにより、当該カード戻し機構は、移動しても、弾性素子の弾性により定位に回復し、また、スライダ４に案内溝４２が設けられ、レバー４１の一端が、絶縁枠体２の固定孔２３に挿設され、もう一端が、案内溝４２に位置し、スライダ４が移動する時、レバー４１が案内溝４２に沿うことにより、スライダ４が定位に位置付け、スライダ４において、導電端子６の近くの一側に、係止フック４３が設けられ、メモリカード７が挿入されると、当該係止フック４３が、下へ向かってメモリカード７の凹槽に係止し、スライダ４が、メモリカード７が内へ押されることと共に、内へ押され、絶縁枠体２内に、導電端子６が設けられ、当該導電端子６は、一端に、スイッチ端子６１が設けられ、当該スイッチ端子６１は、導電端子６の一側を上へ直角に湾曲して、そして、適当な高さで直角に湾曲することにより、他の端子と平行になり、当該スイッチ端子６１に、第１の抵当部６１１と第２の抵当部６１２及び接触部６１３が設けられ、当該第１の抵当部６１１が下へ突出する突出であり、メモリカード７が挿入されると、第１の抵当部６１１が上へ抵当されて、第２の抵当部６１２が、絶縁枠体２の縁にある突出部に抵当するまで抵当され、メモリカード７が、前へ進んで第１の抵当部６１１を抵当すると、接触部６１３が、金属遮蔽体３の導電シート３２に接触して、検知回路が導通され、絶縁枠体２の外に、複数のほぞ２２が設けられ、金属遮蔽体３と組立てる時、当該ほぞ２２が、金属遮蔽体３のほぞ穴３３に係止し、また、金属遮蔽体３に、弾性押えシートＡ３１と弾性押えシートＢ３４が設けられ、レバー４１と係止フック４３は、それぞれ、それによって、押えられて位置付けられる。
【００１１】
図３と４は、メモリカード７が、絶縁枠体２に挿入されて定位される前と定位された後の状態であり、メモリカード７がスライダ４に挿入されると、直ちに内へ押され、レバー４１の一端が、案内溝４２で摺動し、スライダ４上の係止フック４３が、メモリカード７により、少し上へ抵当され、メモリカード７が、半部押し入れられる時、係止フック４３が、メモリカード７の凹槽に係止して、メモリカード７が、安定的に定位に保持され、メモリカード７のもう一側が、スイッチ端子６１の第１の抵当部６１１に接触して、第１の抵当部６１１を上へ抵当し、第２の抵当部６１２が、第１の抵当部６１１が上へ抵当されると共に、絶縁枠体２の縁にある突出部に抵当し、メモリカード７が、定位まで押し入れられると、接触部６１３が、金属遮蔽体３の導電シート３２に接触して、検知回路が導通され、そして、データの伝送を開始する。
【００１２】
図５は、メモリカード７が定位まで挿入された状態であり、金属遮蔽体３の弾性押えシートＡ３１と弾性押えシートＢ３４により、レバー４１と係止フック４３とが、動揺することなく、定位に押えられ、また、導電シート３２が、メモリカード７によって上へ押されるスイッチ端子６１に、接触して導通され、メモリカード７と導電端子６とが、データの伝送を開始する。
【図面の簡単な説明】
【００１３】
【図１】本考案に係わるコネクタ構造の分解図
【図２】本考案に係わるコネクタ構造の組立て概念図
【図３】本考案に係わるコネクタ構造の作動概念図（１）
【図４】本考案に係わるコネクタ構造の作動概念図（２）
【図５】本考案に係わるコネクタ構造の立体図
【符号の説明】
【００１４】
１                コネクタ構造
２                 絶縁枠体
２１               弾性素子ベース
２２               ほぞ
２３               固定孔
３                 金属遮蔽体
３１               弾性押えシートＡ
３２               導電シート
３３               ほぞ穴
３４               弾性押えシートＢ
４                 スライダ
４１               レバー
４２               案内溝
４３               係止フック
５                 弾性素子
６                 導電端子
６１               スイッチ端子
６１１      第１の抵当部
６１２      第２の抵当部
６１３      接触部
７                 メモリカード
【図１】
0003126607.tif 000003
【図２】
0003126607.tif 000004
【図３】
0003126607.tif 000005
【図４】
0003126607.tif 000006
【図５】
0003126607.tif 000007